(57)【特許請求の範囲】
【請求項１】
撮影光学系と、前記撮影光学系を介して撮像を行う撮像素子と、前記撮影光学系とは異なる光学系を介して被写体を観察可能なファインダ装置とを有する撮像装置であって、
前記ファインダ装置は、前記ファインダ装置の光路上に挿入及び当該光路上から抜去可能かつ前記ファインダ装置の焦点距離を変更するための少なくとも１つの変倍レンズと、前記変倍レンズを駆動する駆動機構とを含むものであり、
前記駆動機構に駆動信号を供給して前記変倍レンズの前記光路への挿入及び前記光路からの抜去を制御する変倍レンズ制御部を備え、
前記変倍レンズの移動方向における一方の端部は、前記光路上に挿入された状態で前記ファインダ装置内に設けられる壁に当接し、
前記変倍レンズが前記光路上に挿入された状態から、前記変倍レンズが前記光路上から抜去されて、前記変倍レンズの他方の端部が前記ファインダ装置内に設けられる壁に当接した状態になるまでに、前記変倍レンズが移動する距離を前記変倍レンズの最大移動距離とし、
前記変倍レンズ制御部は、前記変倍レンズに対し前記最大移動距離を第一の時間をかけて移動させる高速制御と、前記変倍レンズに対し前記最大移動距離を第一の時間よりも長い第二の時間をかけて移動させる低速制御とを切り替えて実行し、
前記撮影光学系を別のものに交換可能、又は、前記撮影光学系に別の光学系を追加可能であり、
前記撮影光学系の焦点距離に基づいて、前記変倍レンズの移動の要否を判定する変倍レンズ移動要否判定部を備え、
前記撮像装置の電源が投入された状態で前記撮影光学系の交換又は前記別の光学系の追加がなされ、かつ、前記変倍レンズ移動要否判定部によって前記変倍レンズの移動が必要と判定されたときには、前記変倍レンズ制御部は前記低速制御を行って前記変倍レンズを移動させる撮像装置。
【請求項２】
請求項１記載の撮像装置であって、
前記変倍レンズ制御部は、各々にしたがって移動される前記変倍レンズの移動速度が互いに異なる複数種類の前記駆動信号を前記駆動機構に供給可能であり、
前記変倍レンズ制御部は、前記低速制御と前記高速制御の少なくとも一方を、前記複数種類の駆動信号のうちの少なくとも２種類を組み合わせて前記駆動機構に供給することで実行し、前記低速制御と前記高速制御の少なくとも一方によって移動される前記変倍レンズの移動距離が前記最大移動距離に達する時点における前記変倍レンズの移動速度が、前記変倍レンズが前記最大移動距離を移動する間における移動速度の最大値よりも小さくなるように前記少なくとも２種類の駆動信号を前記駆動機構に供給する撮像装置。
【請求項３】
請求項１又は２記載の撮像装置であって、
前記変倍レンズ制御部は、前記撮像装置の電源投入後に前記変倍レンズを移動させる指示が手動でなされたときには、前記高速制御を行って前記変倍レンズを移動させる撮像装置。
【請求項４】
請求項１〜３のいずれか１項記載の撮像装置であって、
前記ファインダ装置は、被写体側ファインダ窓から入射する光を遮断して接眼窓への当該光の入射を禁止する閉状態と前記被写体側ファインダ窓から入射する光を通過させて当該光を前記接眼窓に入射させる開状態とを切り替え可能なファインダシャッタと、画像を表示する表示部であって前記画像が前記接眼窓から観察可能に配置される表示部とを含み、前記ファインダシャッタが開状態のときに、前記表示部に表示される画像と前記被写体側ファインダ窓から入射して前記接眼窓に入射する光像とが重畳された像を前記接眼窓から観察可能に構成されたものであり、
前記接眼窓に物体が接触していることを検知する物体検知部と、
前記ファインダシャッタの状態を制御するファインダシャッタ制御部と、
前記表示部に画像を表示させる制御を行う表示制御部とを備え、
前記低速制御が行われている間に前記物体検知部によって物体が検知されたときには、前記ファインダシャッタ制御部は前記ファインダシャッタを閉状態に制御し、前記表示制御部は前記表示部に前記撮像素子によって撮像されている撮像画像を表示させる撮像装置。
【請求項５】
撮影光学系と、前記撮影光学系を介して撮像を行う撮像素子と、前記撮影光学系とは異なる光学系を介して被写体を観察可能なファインダ装置とを有する撮像装置であって、
前記ファインダ装置は、前記ファインダ装置の光路上に挿入及び当該光路上から抜去可能かつ前記ファインダ装置の焦点距離を変更するための少なくとも１つの変倍レンズと、前記変倍レンズを駆動する駆動機構とを含むものであり、
前記駆動機構に駆動信号を供給して前記変倍レンズの前記光路への挿入及び前記光路からの抜去を制御する変倍レンズ制御部を備え、
前記変倍レンズの移動方向における一方の端部は、前記光路上に挿入された状態で前記ファインダ装置内に設けられる壁に当接し、
前記変倍レンズが前記光路上に挿入された状態から、前記変倍レンズが前記光路上から抜去されて、前記変倍レンズの他方の端部が前記ファインダ装置内に設けられる壁に当接した状態になるまでに、前記変倍レンズが移動する距離を前記変倍レンズの最大移動距離とし、
前記変倍レンズ制御部は、前記変倍レンズに対し前記最大移動距離を第一の時間をかけて移動させる高速制御と、前記変倍レンズに対し前記最大移動距離を第一の時間よりも長い第二の時間をかけて移動させる低速制御とを切り替えて実行し、
前記変倍レンズ制御部は、前記撮像装置の電源投入後に前記変倍レンズを移動させる指示が手動でなされたときには、前記高速制御を行って前記変倍レンズを移動させる撮像装置。
【請求項６】
撮影光学系と、前記撮影光学系を介して撮像を行う撮像素子と、前記撮影光学系とは異なる光学系を介して被写体を観察可能なファインダ装置とを有する撮像装置であって、
前記ファインダ装置は、前記ファインダ装置の光路上に挿入及び当該光路上から抜去可能かつ前記ファインダ装置の焦点距離を変更するための少なくとも１つの変倍レンズと、前記変倍レンズを駆動する駆動機構とを含むものであり、
前記駆動機構に駆動信号を供給して前記変倍レンズの前記光路への挿入及び前記光路からの抜去を制御する変倍レンズ制御部を備え、
前記変倍レンズの移動方向における一方の端部は、前記光路上に挿入された状態で前記ファインダ装置内に設けられる壁に当接し、
前記変倍レンズが前記光路上に挿入された状態から、前記変倍レンズが前記光路上から抜去されて、前記変倍レンズの他方の端部が前記ファインダ装置内に設けられる壁に当接した状態になるまでに、前記変倍レンズが移動する距離を前記変倍レンズの最大移動距離とし、
前記変倍レンズ制御部は、前記変倍レンズに対し前記最大移動距離を第一の時間をかけて移動させる高速制御と、前記変倍レンズに対し前記最大移動距離を第一の時間よりも長い第二の時間をかけて移動させる低速制御とを切り替えて実行し、
前記ファインダ装置の接眼窓に物体が接触していることを検知する物体検知部を備え、
前記変倍レンズ制御部は、前記物体検知部によって物体が検知されていないときは前記低速制御を行って前記変倍レンズを移動させ、前記物体検知部によって物体が検知されているときは前記高速制御を行って前記変倍レンズを移動させる撮像装置。
【請求項７】
請求項５又は６記載の撮像装置であって、
前記変倍レンズ制御部は、各々にしたがって移動される前記変倍レンズの移動速度が互いに異なる複数種類の前記駆動信号を前記駆動機構に供給可能であり、
前記変倍レンズ制御部は、前記低速制御と前記高速制御の少なくとも一方を、前記複数種類の駆動信号のうちの少なくとも２種類を組み合わせて前記駆動機構に供給することで実行し、前記低速制御と前記高速制御の少なくとも一方によって移動される前記変倍レンズの移動距離が前記最大移動距離に達する時点における前記変倍レンズの移動速度が、前記変倍レンズが前記最大移動距離を移動する間における移動速度の最大値よりも小さくなるように前記少なくとも２種類の駆動信号を前記駆動機構に供給する撮像装置。
【発明の詳細な説明】
【技術分野】
【０００１】
本発明は、ファインダ装置を搭載する撮像装置に関する。
【背景技術】
【０００２】
撮影光学系の焦点距離に応じて、ファインダ倍率を簡易な機構によって変更することができる撮像装置のファインダ構造が提案されている（特許文献１，２参照）。【０００３】
特許文献１，２に記載の撮像装置は、広角側レンズと望遠側レンズとのいずれかの変倍レンズを、ファインダ装置の光路上に挿入することができるようになっており、撮影光学系の焦点距離に応じてファインダ倍率を簡単に変更することができるようになっている。【０００４】
また、ファインダ装置に関するものではないが、絞り機構の開口を選択的に開閉する透明部及び濃度のグラデーション部を有するＮＤフィルタを搭載し、グラデーション部が絞り機構の開口を覆うときと、透明部が絞り機構の開口を覆うときとで、開口に対するＮＤフィルタの閉動作速度を異ならせる撮像装置が特許文献３に記載されている。
【先行技術文献】
【特許文献】
【０００５】
【特許文献１】日本国特開平１１−３８４７７号公報
【特許文献２】日本国特開平１−２１７４３２号公報
【特許文献３】日本国特開２００８−３５２６８号公報
【発明の概要】
【発明が解決しようとする課題】
【０００６】
特許文献１，２に記載されたような構造のファインダ装置は、光路上に変倍レンズを機械的に出し入れするものである。このため、ファインダ装置を使い続けると、変倍レンズやその周辺部材が磨耗し、ファインダ装置を搭載する撮像装置の製品寿命を短くする原因となる。特許文献１，２には、この磨耗をいかに減らすかについて記載がない。また、特許文献３は、変倍レンズを搭載するファインダ装置に関するものではなく、変倍レンズとその周辺部材が磨耗することを防げるものではない。【０００７】
本発明は、上記事情に鑑みてなされたものであり、変倍レンズを搭載するファインダ装置の耐久性を向上させて製品寿命を延ばすことのできる撮像装置を提供することを目的とする。
【課題を解決するための手段】
【０００８】
本発明の撮像装置は、撮影光学系と、前記撮影光学系を介して撮像を行う撮像素子と、前記撮影光学系とは異なる光学系を介して被写体を観察可能なファインダ装置とを有する撮像装置であって、前記ファインダ装置は、前記ファインダ装置の光路上に挿入及び当該光路上から抜去可能かつ前記ファインダ装置の焦点距離を変更するための少なくとも１つの変倍レンズと、前記変倍レンズを駆動する駆動機構とを含むものであり、前記駆動機構に駆動信号を供給して前記変倍レンズの前記光路への挿入及び前記光路からの抜去を制御する変倍レンズ制御部を備え、前記変倍レンズの移動方向における一方の端部は、前記光路上に挿入された状態で前記ファインダ装置内に設けられる壁に当接し、前記変倍レンズが前記光路上に挿入された状態から、前記変倍レンズが前記光路上から抜去されて、前記変倍レンズの他方の端部が前記ファインダ装置内に設けられる壁に当接した状態になるまでに、前記変倍レンズが移動する距離を前記変倍レンズの最大移動距離とし、前記変倍レンズ制御部は、前記変倍レンズに対し前記最大移動距離を第一の時間をかけて移動させる高速制御と、前記変倍レンズに対し前記最大移動距離を第一の時間よりも長い第二の時間をかけて移動させる低速制御とを切り替えて実行し、前記撮影光学系を別のものに交換可能、又は、前記撮影光学系に別の光学系を追加可能であり、前記撮影光学系の焦点距離に基づいて、前記変倍レンズの移動の要否を判定する変倍レンズ移動要否判定部を備え、前記撮像装置の電源が投入された状態で前記撮影光学系の交換又は前記別の光学系の追加がなされ、かつ、前記変倍レンズ移動要否判定部によって前記変倍レンズの移動が必要と判定されたときには、前記変倍レンズ制御部は前記低速制御を行って前記変倍レンズを移動させるものである。
本発明の撮像装置は、撮影光学系と、前記撮影光学系を介して撮像を行う撮像素子と、前記撮影光学系とは異なる光学系を介して被写体を観察可能なファインダ装置とを有する撮像装置であって、前記ファインダ装置は、前記ファインダ装置の光路上に挿入及び当該光路上から抜去可能かつ前記ファインダ装置の焦点距離を変更するための少なくとも１つの変倍レンズと、前記変倍レンズを駆動する駆動機構とを含むものであり、前記駆動機構に駆動信号を供給して前記変倍レンズの前記光路への挿入及び前記光路からの抜去を制御する変倍レンズ制御部を備え、前記変倍レンズの移動方向における一方の端部は、前記光路上に挿入された状態で前記ファインダ装置内に設けられる壁に当接し、前記変倍レンズが前記光路上に挿入された状態から、前記変倍レンズが前記光路上から抜去されて、前記変倍レンズの他方の端部が前記ファインダ装置内に設けられる壁に当接した状態になるまでに、前記変倍レンズが移動する距離を前記変倍レンズの最大移動距離とし、前記変倍レンズ制御部は、前記変倍レンズに対し前記最大移動距離を第一の時間をかけて移動させる高速制御と、前記変倍レンズに対し前記最大移動距離を第一の時間よりも長い第二の時間をかけて移動させる低速制御とを切り替えて実行し、前記変倍レンズ制御部は、前記撮像装置の電源投入後に前記変倍レンズを移動させる指示が手動でなされたときには、前記高速制御を行って前記変倍レンズを移動させるものである。
本発明の撮像装置は、撮影光学系と、前記撮影光学系を介して撮像を行う撮像素子と、前記撮影光学系とは異なる光学系を介して被写体を観察可能なファインダ装置とを有する撮像装置であって、前記ファインダ装置は、前記ファインダ装置の光路上に挿入及び当該光路上から抜去可能かつ前記ファインダ装置の焦点距離を変更するための少なくとも１つの変倍レンズと、前記変倍レンズを駆動する駆動機構とを含むものであり、前記駆動機構に駆動信号を供給して前記変倍レンズの前記光路への挿入及び前記光路からの抜去を制御する変倍レンズ制御部を備え、前記変倍レンズの移動方向における一方の端部は、前記光路上に挿入された状態で前記ファインダ装置内に設けられる壁に当接し、前記変倍レンズが前記光路上に挿入された状態から、前記変倍レンズが前記光路上から抜去されて、前記変倍レンズの他方の端部が前記ファインダ装置内に設けられる壁に当接した状態になるまでに、前記変倍レンズが移動する距離を前記変倍レンズの最大移動距離とし、前記変倍レンズ制御部は、前記変倍レンズに対し前記最大移動距離を第一の時間をかけて移動させる高速制御と、前記変倍レンズに対し前記最大移動距離を第一の時間よりも長い第二の時間をかけて移動させる低速制御とを切り替えて実行し、前記ファインダ装置の接眼窓に物体が接触していることを検知する物体検知部を備え、前記変倍レンズ制御部は、前記物体検知部によって物体が検知されていないときは前記低速制御を行って前記変倍レンズを移動させ、前記物体検知部によって物体が検知されているときは前記高速制御を行って前記変倍レンズを移動させるものである。
【発明の効果】
【０００９】
本発明によれば、変倍レンズを搭載するファインダ装置の耐久性を向上させて製品寿命を延ばすことのできる撮像装置を提供することができる。
【図面の簡単な説明】
【００１０】
【図１】本発明の一実施形態を説明するためのデジタルカメラの外観斜視図
【図２】図１に示すデジタルカメラ１０の内部ブロック構成図
【図３】図１，２に示したファインダ装置１５に搭載される変倍レンズ６４の駆動機構を説明するための図
【図４】ＣＰＵ３２が行う低速制御の一例を説明するための図
【図５】ＣＰＵ３２が行う高速制御の一例を説明するための図
【図６】ＣＰＵ３２が行う低速制御の別の例を説明するための図
【図７】ＣＰＵ３２が行う高速制御の別の例を説明するための図
【図８】ＣＰＵ３２が行う低速制御の更に別の例を説明するための図
【図９】ＣＰＵ３２が行う高速制御の更に別の例を説明するための図
【図１０】図１に示すデジタルカメラ１０の電源投入後の動作を説明するためのフローチャート
【図１１】図１に示すデジタルカメラの内部構成の変形例を説明するための図
【図１２】図１１に示すデジタルカメラの動作を説明するためのフローチャート
【図１３】図１１に示すデジタルカメラのＣＰＵ３２が行う低速制御から高速制御への切り替えの例を説明するための図
【図１４】図１１に示すデジタルカメラのＣＰＵ３２が行う高速制御から低速制御への切り替えの例を説明するための図
【発明を実施するための形態】
【００１１】
以下、本発明の実施形態について図面を参照して説明する。以下では撮像装置としてのデジタルカメラについて説明する。
【００１２】
図１は、本発明の一実施形態を説明するためのデジタルカメラの外観斜視図である。
【００１３】
デジタルカメラ１０は、矩形の筐体１１を備える。筐体１１の正面中央にはレンズ鏡筒１２が着脱可能に設けられている。レンズ鏡筒１２内に撮影レンズ（焦点位置合わせ用のフォーカスレンズやズームレンズ等）１３が収納されている。レンズ鏡筒１２には、ズームレンズやコンバージョンレンズ等の別の光学系を追加することもできるようになっている。
【００１４】
筐体１１の上端面の片側にはシャッターレリーズボタン１４が設けられている。筐体１１の上端面のシャッターレリーズボタン１４とは反対側の角にはファインダ装置１５が設けられている。ファインダ装置１５の被写体側ファインダ窓１６は、筐体１１正面の角部に設けられている。被写体側ファインダ窓１６と対向する筐体１１の背面側の部分に、ファインダ装置１５の接眼窓１７が設けられている。
【００１５】
図２は、図１に示すデジタルカメラ１０の内部ブロック構成図である。
【００１６】
デジタルカメラ１０は、ＣＣＤ型の固体撮像素子２１ａと、固体撮像素子２１ａの前段に置かれた撮影光学系と、固体撮像素子２１ａの出力信号（撮影画像信号）をアナログ信号処理するＣＤＳＡＭＰ２５ａと、ＣＤＳＡＭＰ２５ａの出力信号をデジタル信号に変換するアナログデジタル（Ａ／Ｄ）変換器２６ａと、ファインダ装置１５とを備える。撮影光学系は、撮影レンズ１３（ズームレンズを１３ａ、フォーカスレンズを１３ｂとしている）と、絞り（アイリス）２４とを含んで構成されている。
【００１７】
なお、固体撮像素子２１ａは、図２の例ではＣＣＤ型であるが、ＣＭＯＳ型等の他の形式の固体撮像素子でも良い。
【００１８】
ファインダ装置１５は、被写体側ファインダ窓１６と、接眼窓１７と、ＯＶＦシャッタ６２と、変倍レンズ６４と、焦点距離固定の対物レンズ６５と、ハーフミラー６３を内部に持つプリズム６６と、表示部６１とを備える。被写体側ファインダ窓１６と接眼窓１７との間には、ＯＶＦシャッタ６２と、変倍レンズ６４と、対物レンズ６５と、プリズム６６とが、ファインダ装置１５の入射光軸Ｌに沿ってこの順に配置されている。
【００１９】
ＯＶＦシャッタ６２は、光軸Ｌに沿う光路上に挿脱可能に設けられている。ＯＶＦシャッタ６２は、ファインダ装置１５の光路上に挿入された閉状態と、ファインダ装置１５の光路上から退避させられた開状態とをとることができる。
【００２０】
ＯＶＦシャッタ６２は、閉状態では、被写体側ファインダ窓１６を覆う位置に挿入される。このため、この閉状態では、被写体側ファインダ窓１６に入射した光はＯＶＦシャッタ６２によって遮断され、当該光の接眼窓１７への入射が禁止される。
【００２１】
ＯＶＦシャッタ６２は、開状態では、被写体側ファインダ窓１６を覆わない位置に退避させられる。このため、この開状態では、被写体側ファインダ窓１６に入射した光はＯＶＦシャッタ６２によって遮断されずに通過し、当該光が接眼窓１７に入射する。
【００２２】
ＯＶＦシャッタ６２は、光を吸収又は反射する板状の部材を機械的に出し入れするものであってもよいし、電気的に透過率を制御できる素子（例えば液晶シャッタ）であってもよい。
【００２３】
変倍レンズ６４は、ファインダ装置１５の光路上に挿入及び抜去可能に設けられている。変倍レンズ６４は、ファインダ装置１５の焦点距離（ファインダ倍率）を変更するためのものである。なお、変倍レンズ６４は、図２の例では、被写体側ファインダ窓１６よりも内側に設けられているが、被写体側ファインダ窓１６の外側に設けられていてもよい。つまり、ファインダ装置１５の光路とは、ファインダ装置１５の入射光軸Ｌに沿って形成される光路のことを意味し、ファインダ装置１５内部の光路に限らず、ファインダ装置１５外部の光路も含まれる。
【００２４】
変倍レンズ６４は、デジタルカメラ１０の撮影光学系の焦点距離（ズームレンズ１３ａの位置で決まる値）に基づいて、その位置が制御される。例えば、撮影光学系の焦点距離が伸びていき、この焦点距離が対物レンズ６５の焦点距離よりも十分に大きい閾値に達すると、変倍レンズ６４はファインダ装置１５の光路上に挿入される。また、変倍レンズ６４が光路上に挿入された状態で、撮影光学系の焦点距離が短くなっていき、この焦点距離が上記閾値未満になると、変倍レンズ６４はファインダ装置１５の光路上から抜去される。
【００２５】
ハーフミラー６３は、光軸Ｌに対して斜め４５度に設置されている。
【００２６】
表示部６１は、例えば液晶表示装置によって構成されており、ハーフミラー６３に隣接しかつ光軸Ｌに対し平行に配置されている。表示部６１は、表示画面上において情報を表示させたい部分だけバックライトの光を透過させ、それ以外の部分のバックライト光は透過させないようにする（黒表示にする）ことで、情報の表示を行う。
【００２７】
これにより、ＯＶＦシャッタ６２が開状態でかつ表示部６１に画像が表示されている状態では、ハーフミラー６３を透過した被写体からの入射光（ＯＶＦ光学像）と、表示部６１から発せられハーフミラー６３で反射した光（表示部６１に表示されるＥＶＦ画像）とが重畳された像を、接眼窓１７から確認することができる。
【００２８】
ＯＶＦシャッタ６２を開状態としかつ表示部６１を非表示状態（オフ）にすることで、ファインダ装置１５は光学式ビューファインダ（ＯＶＦ）として使用される。また、ＯＶＦシャッタ６２を閉状態としかつ表示部６１を表示状態（オン）にすることで、ファインダ装置１５は電子ビューファインダ（ＥＶＦ）として使用される。
【００２９】
なお、ファインダ装置１５は、ＯＶＦシャッタ６２が開状態のときに、表示部６１に表示する画像と被写体側ファインダ窓１６から見える被写体像（ＯＶＦ光学像）とが重畳された像を、接眼窓１７を通して観察可能なものであればよく、他の構造を採用することもできる。例えば、図２のファインダ装置１５の構成からプリズム６６と表示部６１を削除し、プリズム６６があった位置に、シースルー型の表示部をその表示面が光軸Ｌに対して垂直になるように配置したものであってもよい。
【００３０】
デジタルカメラ１０は、更に、Ａ／Ｄ変換器２６ａから出力されるデジタルの撮影画像信号を取り込む画像入力コントローラ３１と、このデジタルカメラ１０の全体を統括制御する演算処理装置（ＣＰＵ）３２と、画像入力コントローラ３１によって取り込まれた撮影画像信号を画像処理して撮影画像データを生成する画像信号処理回路３３と、固体撮像素子２１ａから出力される撮影画像信号から焦点位置を検出するＡＦ検出回路３４と、露出量，ホワイトバランスを自動検出するＡＥ＆ＡＷＢ検出回路３５と、ワークメモリとして使用するＲＡＭや各種データを記憶するＲＯＭ等を含むメモリ３６と、画像処理後の撮影画像データをＪＰＥＧ画像やＭＰＥＧ画像に圧縮する圧縮処理回路３９と、カメラ背面等に設けられた液晶表示装置４０に撮影画像やライブビュー画像を表示させたり、各種画像をファインダ装置１５内の表示部６１に表示させたりする表示制御部４１と、記録媒体４２に撮影画像データを記録するメディアコントローラ４３と、これらを相互接続するバス４４とを備える。
【００３１】
ＣＰＵ３２には、図１に示したシャッターレリーズボタン１４と図示しないズームボタン等を含む操作部５０が接続されている。この操作部５０を介して入力されるユーザ指示に基づき、ＣＰＵ３２はデジタルカメラ１０を制御する。
【００３２】
デジタルカメラ１０は、更に、ズームレンズ１３ａの駆動モータに駆動パルスを供給するモータドライバ４６と、フォーカスレンズ１３ｂの駆動モータに駆動パルスを供給するモータドライバ４７と、絞り２４の絞り制御を行う駆動モータに駆動信号を供給するモータドライバ４８と、ＯＶＦシャッタ６２の位置制御を行う駆動モータに駆動信号を供給するモータドライバ５３と、変倍レンズ６４の位置制御を行う駆動機構であるアクチュエータに含まれる駆動モータに駆動信号を供給するモータドライバ５４と、固体撮像素子２１ａに駆動タイミングパルスを供給するタイミングジェネレータ４９とを備える。モータドライバ４６，４７，４８，５３，５４及びタイミングジェネレータ４９は、ＣＰＵ３２からの指令に基づいて動作する。また、ＣＤＳＡＭＰ２５ａもＣＰＵ３２からの指令に基づいて動作する。
【００３３】
図３は、図１，２に示したファインダ装置１５に搭載される変倍レンズ６４の駆動機構を説明するための図である。図３ではＯＶＦシャッタ６２の図示は省略している。
【００３４】
図３に示すように、被写体側ファインダ窓１６と対物レンズ６５との間には、変倍レンズ６４をスライドさせるためのスライダ７１が配置されている。スライダ７１は、ファインダ装置１５の光軸Ｌに対して直交する方向に延びて配置されている。スライダ７１には変倍レンズ６４が取り付けられており、変倍レンズ６４が光軸Ｌに対して直交する方向に移動可能となっている。
【００３５】
変倍レンズ６４の下部には開口７４ａを有する固定部材７４が装着されている。固定部材７４には、軸７２を中心にして回転可能な回転部材７３が装着されている。この回転部材７３の軸７２には、図示しない駆動モータが接続され、この駆動モータがモータドライバ５４から供給される駆動信号にしたがって回転する。この駆動モータが回転すると、固定部材７３が図中の矢印方向に回転し、この回転に伴って固定部材７４が左右に移動する。これにより、駆動モータの回転力が固定部材７４の水平方向の移動力に変換されて、変倍レンズ６４が水平方向に移動する。なお、図３には示していないが、スライダ７１の両端部は壁となっている。
【００３６】
そのため、変倍レンズ６４は、光路上に挿入される場合は、移動方向における一方の端部がスライダ７１の左端部にある壁に当接して停止し、光路上から抜去される場合は、移動方向における他方の端部がスライダ７１の右端部にある壁に当接して停止する。なお、変倍レンズ６４が光路上から抜去され、スライダ７１の右端部にある壁に当接した場合に、変倍レンズ６４がバウンドして光路側に戻されて停止する場合も考えられる。この場合は、変倍レンズ６４の一方の端部が光路上に侵入しないように、変倍レンズ６４の退避位置と光路との間にスペースを設けておけば良い。
【００３７】
このデジタルカメラでは、ファインダ装置１５をＯＶＦとして使用する設定がなされている状態では、電源投入時、ＯＶＦシャッタ６２が開状態となっている。更に、撮影レンズ１の焦点距離によって決まる撮影範囲を示す枠が、表示制御部４１の制御によって表示部６１に表示される。そして、ファインダ装置１５の接眼窓１７からは、ファインダ装置１５の焦点距離によって決まる範囲の光学像が観察される。
【００３８】
ファインダ装置１５の焦点距離と撮影レンズ１の焦点距離が同一であれば、接眼窓１７から見える光学像と、撮像素子２１ａによって撮影される範囲とはほぼ同じ大きさとなる。一方、ファインダ装置１５の焦点距離よりも撮影レンズ１の焦点距離が大きいと、接眼窓１７から見えている光学像よりも狭い範囲が撮像素子２１ａによって撮影されることになる。このため、ファインダ装置１５の焦点距離よりも撮影レンズ１の焦点距離が大きい場合には、表示部６１に、撮像素子２１ａによって撮影される範囲を示す枠が表示される。デジタルカメラ１０のユーザは、この枠によって、接眼窓１７から覗いている光学像のうちのどの範囲が実際に撮影される範囲なのかを知ることができる。
【００３９】
表示部６１に表示される撮影範囲を示す枠は、撮影レンズ１の焦点距離がファインダ装置１５の焦点距離よりも大きくなるにつれて、小さくなる。この枠が小さくなりすぎると、撮影範囲内の被写体を確認しづらくなる。そこで、デジタルカメラ１０では、撮影レンズ１の焦点距離が閾値（例えば、変倍レンズ６４挿入後のファインダ装置１５の焦点距離）に達した場合に、ＣＰＵ３２が変倍レンズ６４をファインダ装置１５の光路上に挿入する制御を行う。変倍レンズ６４が光路上に挿入されると、ファインダ装置１５の焦点距離が伸びるため、表示部６１に表示される撮影範囲を示す枠はその分大きくなり、撮影範囲内の被写体を観察しやすくなる。
【００４０】
一方、変倍レンズ６４が光路上に挿入された状態で、撮影レンズ１の焦点距離が小さくなっていき、その焦点距離が変倍レンズ６４挿入後のファインダ装置１５の焦点距離（上記閾値）よりも小さくなると、表示部６１には撮影範囲を示す枠を表示できなくなる。このため、ＣＰＵ３２は、変倍レンズ６４が光路上に挿入された状態で、撮影レンズ１の焦点距離が小さくなっていき、この焦点距離が上記閾値未満になったときに、変倍レンズ６４を光路上から抜去する制御を行う。
【００４１】
変倍レンズ６４が光路上に挿入された状態（変倍レンズ６４の一方の端部がスライダ７１の壁に当接している状態）から、変倍レンズ６４が光路上から抜去されて、変倍レンズ６４の他方の端部がスライダ７１の壁に当接する状態になるまでに、変倍レンズ６４が移動する距離を変倍レンズ６４の最大移動距離Ａとしたとき、ＣＰＵ３２は、変倍レンズ６４に対し前記最大移動距離を第一の時間をかけて移動させる高速制御と、変倍レンズ６４に対し前記最大移動距離を第一の時間よりも長い第二の時間をかけて移動させる低速制御とを、デジタルカメラ１０の使用状況に応じて切り替えて実行する。
【００４２】
図４は、ＣＰＵ３２が行う低速制御の一例を説明するための図である。図４において、縦軸は変倍レンズ６４の移動距離、横軸は変倍レンズ６４の移動時間である。図４の例では、変倍レンズ６４が時間Ｔ２をかけて距離Ａ移動するように、ＣＰＵ３２がモータドライバ５４に指令を出し、モータドライバ５４がこの指令に応じた１種類の駆動信号を駆動モータに供給する。
【００４３】
図５は、ＣＰＵ３２が行う高速制御の一例を説明するための図である。図５において、縦軸は変倍レンズ６４の移動距離、横軸は変倍レンズ６４の移動時間である。図５の例では、変倍レンズ６４が時間Ｔ２よりも短い時間Ｔ１をかけて距離Ａ移動するように、ＣＰＵ３２がモータドライバ５４に指令を出し、モータドライバ５４がこの指令に応じた駆動信号（図４のときとは種類の異なる駆動信号）を駆動モータに供給する。
【００４４】
図６は、ＣＰＵ３２が行う低速制御の別の例を説明するための図である。図６において、縦軸は変倍レンズ６４の移動距離、横軸は変倍レンズ６４の移動時間である。図６の例では、変倍レンズ６４が時間Ｔ２をかけて距離Ａ移動するように、ＣＰＵ３２がモータドライバ５４に指令を出す点では図４と同じである。しかし、図６の例では、時間Ｔ２より短い時間ｔ２までと、時間ｔ２〜時間Ｔ２とで変倍レンズ６４の移動速度を変化させている。つまり、図６の例では、モータドライバ５４からは、変倍レンズ６４を相対的に速く移動させるための駆動信号と、変倍レンズ６４を相対的に遅く移動させるための駆動信号との２種類の駆動信号がこの順番で駆動モータに供給される。
【００４５】
図７は、ＣＰＵ３２が行う高速制御の別の例を説明するための図である。図７において、縦軸は変倍レンズ６４の移動距離、横軸は変倍レンズ６４の移動時間である。図７の例では、変倍レンズ６４が時間Ｔ１をかけて距離Ａ移動するように、ＣＰＵ３２がモータドライバ５４に指令を出す点では図５と同じである。しかし、図７の例では、時間Ｔ１より短い時間ｔ１までと、時間ｔ１〜時間Ｔ１とで変倍レンズ６４の移動速度を変化させている。つまり、図７の例では、モータドライバ５４からは、変倍レンズ６４を相対的に速く移動させるための駆動信号と、変倍レンズ６４を相対的に遅く移動させるための駆動信号との２種類の駆動信号がこの順番で駆動モータに供給される。
【００４６】
図８は、ＣＰＵ３２が行う低速制御の更に別の例を説明するための図である。図８の例は、駆動モータに２種類の駆動信号を供給して、変倍レンズ６４を時間Ｔ２の間に距離Ａ移動させる点では図６と同じである。図８は、モータドライバ５４が、駆動モータに対し、変倍レンズ６４を相対的に遅く移動させるための駆動信号を先に供給し、その後に、変倍レンズ６４を相対的に速く移動させるための駆動信号を供給する点で図６の例とは異なっている。
【００４７】
図９は、ＣＰＵ３２が行う高速制御の更に別の例を説明するための図である。図９の例は、駆動モータに２種類の駆動信号を供給して、変倍レンズ６４を時間Ｔ１の間に距離Ａ移動させる点では図７と同じである。図９は、モータドライバ５４が、駆動モータに対し、変倍レンズ６４を相対的に遅く移動させるための駆動信号を先に供給し、その後に、変倍レンズ６４を相対的に速く移動させるための駆動信号を供給する点で図７の例とは異なっている。
【００４８】
図６，７の例は、変倍レンズ６４が距離Ａに達する時点における変倍レンズ６４の移動速度が、図８，９の例と比較して遅い。変倍レンズ６４は、距離Ａに達した時点で、図３のスライダ７１の両端のいずれかにある壁に当接する。このため、この壁に変倍レンズ６４が当接する時点での変倍レンズ６４の移動速度を遅くすることで、変倍レンズ６４の磨耗を抑えることができる。したがって、図６，７の例によれば、図８，９の例と比較して、変倍レンズ６４の磨耗を抑えることができる。
【００４９】
図４，６，８に示した低速制御は、変倍レンズ６４の平均移動速度が図５，７，９に示した高速制御よりも遅い。この平均移動速度が相対的に遅いということは、変倍レンズ６４とスライダ７１との摩擦が小さくなることを意味する。このため、この低速制御によれば、変倍レンズ６４とスライダ７１との摩擦を軽減して、ファインダ装置１５の耐久性を向上させることができる。
【００５０】
一方、平均移動速度が相対的に速いということは、ファインダ装置１５のファインダ倍率の切替えがそれだけ速く行われることを意味する。このため、高速制御によれば、撮影光学系の焦点距離の変化に高速で追従することができる。一方で、高速制御は、変倍レンズ６４が低速制御と比較して速く動くことになるため、変倍レンズ６４とその周辺の機構の磨耗が激しく、耐久性の面では低速制御に劣る。
【００５１】
このように、ＣＰＵ３２が行う低速制御と高速制御にはそれぞれに利点がある。これらの利点を最大限に活かすために、ＣＰＵ３２は、デジタルカメラの使用状況に応じて、高速制御と低速制御のいずれかを選択的に実行して変倍レンズ６４の移動制御を行う。このようにすることで、接眼窓１７をユーザが覗いているときの違和感の軽減と、変倍レンズ６４周辺の機構の長寿命化とを両立させることができる。
【００５２】
以下、デジタルカメラ１０の動作について説明する。
【００５３】
図１０は、図１に示すデジタルカメラ１０の電源投入後の動作を説明するためのフローチャートである。
【００５４】
デジタルカメラ１０の電源が投入されると、ＣＰＵ３２は、デジタルカメラ１０に装着されている撮影レンズ１の焦点距離の情報を取得する（ステップＳ１）。撮影レンズ１の焦点距離は、ズームレンズ１３ａの位置によって決まる値であり、ＣＰＵ３２はズームレンズ１３ａの位置を検出し、その位置情報に基づいて焦点距離の情報を取得する。
【００５５】
次に、ＣＰＵ３２は、撮影レンズ１の焦点距離に基づいて、変倍レンズ６４の切替（ファインダ装置１５の焦点距離を変更するための変倍レンズ６４の移動）が必要か否かを判定する（ステップＳ２）。例えば、ＣＰＵ３２は、変倍レンズ６４が光路上に挿入されていない状態では、撮影レンズ１の焦点距離が上述した閾値に達していれば変倍レンズ６４の切替が必要と判定し、撮影レンズ１の焦点距離が上述した閾値未満であれば変倍レンズ６４の切替が不要と判定する。また、ＣＰＵ３２は、変倍レンズ６４が光路上に挿入されている状態では、撮影レンズ１の焦点距離が上述した閾値に達していれば変倍レンズ６４の切替が不要と判定し、撮影レンズ１の焦点距離が上述した閾値未満であれば変倍レンズ６４の切替が必要と判定する。
【００５６】
変倍レンズ６４の切替が必要であった場合、ＣＰＵ３２は、変倍レンズ６４を高速制御によって移動させて、変倍レンズ６４を光路上に挿入又は光路上から退避させる（ステップＳ３）。変倍レンズ６４の切替が不要であった場合、ＣＰＵ３２はステップＳ４の処理を行う。
【００５７】
デジタルカメラ１０の電源投入後は、ユーザがすぐに撮影をすることが多く、このような場合には、接眼窓１７がユーザによって覗かれていると推定される。このため、デジタルカメラ１０の電源投入直後に変倍レンズ６４の切替が必要であった場合には、ＣＰＵ３２が高速制御を行って変倍レンズ６４を移動させる。このようにすることで、低速制御が行われる場合と比較して、変倍レンズ６４が早い時間で移動完了することになる。このため、変倍レンズ６４の移動中に接眼窓１７を覗いているユーザに対して与えてしまう違和感を減らすことができる。
【００５８】
ステップＳ３の後、ＣＰＵ３２は、撮影レンズ１が他のものに交換されたか（又は、レンズ鏡筒１２に別の光学系が追加されたか）どうかを判定する（ステップＳ４）。ＣＰＵ３２は、例えば、デジタルカメラ１０の撮影レンズ１付近に設けられたレンズの着脱を検知するスイッチ等の検知情報に基づいて、撮影レンズ１の交換又は追加の有無を判定する。
【００５９】
ステップＳ４の判定がＹＥＳのとき、ＣＰＵ３２は、撮影レンズ１の焦点距離の情報を取得する（ステップＳ５）。次に、ＣＰＵ３２は、ステップＳ５で取得した焦点距離の情報に基づいて、変倍レンズ６４の切替の要否を判定する（ステップＳ６）。変倍レンズ６４の切替が必要であった場合、ＣＰＵ３２は、変倍レンズ６４を低速制御によって移動させて、変倍レンズ６４を光路上に挿入又は光路上から退避させる（ステップＳ７）。
【００６０】
デジタルカメラ１０の電源投入後に、撮影レンズ１を交換する場合、ユーザは、接眼窓１７から眼を離した状態で撮影レンズ１の交換を行うと考えられる。つまり、デジタルカメラ１０の電源投入後に、撮影レンズ１が交換される場合は、接眼窓１７がユーザによって覗かれていない状態であると推定できる。
【００６１】
そこで、ＣＰＵ３２は、デジタルカメラ１０の電源投後に撮影レンズ１の交換がなされた場合には、低速制御を行って変倍レンズ６４を移動させる。このようにすることで、変倍レンズ６４とその周辺の機構の磨耗を減らすことができ、ファインダ装置１５の耐久性を向上させることができる。また、デジタルカメラ１０の電源投後に撮影レンズ１の交換がなされた場合には、低速制御によって変倍レンズ６４を遅く動かしても、その様子がユーザによって観察される可能性は低い。このため、ユーザに違和感を与えてしまう可能性を減らすことができる。
【００６２】
ステップＳ４の判定がＮＯのときと、ステップＳ６の判定がＮＯのときと、ステップＳ７の後、ＣＰＵ３２はステップＳ８の処理を行う。
【００６３】
ステップＳ８では、ＣＰＵ３２が、ファインダ装置１５のファインダ倍率（焦点距離）を切替える指示がなされたかどうかを判定する（ステップＳ８）。デジタルカメラ１０では、ユーザが操作部５０を操作して、ファインダ装置１５のファインダ倍率（焦点距離）を上記閾値以上と上記閾値未満の２段階に切り替え可能である。
【００６４】
ステップＳ８の判定がＹＥＳのとき、ＣＰＵ３２は、変倍レンズ６４を高速制御によって移動させて、変倍レンズ６４を光路上に挿入又は光路上から退避させる（ステップＳ９）。ステップＳ８の判定がＮＯとき、ＣＰＵ３２はステップＳ４の処理を行う。
【００６５】
操作部５０からファインダ倍率を切替える指示が入力された場合は、ユーザの操作に応答して速く変倍レンズ６４を移動させることが、デジタルカメラの使い勝手を向上させる上で好ましい。そこで、ＣＰＵ３２は、操作部５０からファインダ倍率を切替える指示が入力された場合には高速制御を行う。このようにすることで、変倍レンズ６４の切替えにおける応答性を向上させることができ、使い勝手を向上させることができる。
【００６６】
ステップＳ９の後、ＣＰＵ３２は、現時点での撮影レンズ１の焦点距離の情報に基づいて、変倍レンズ６４の切替が必要か否かを判定する（ステップＳ１０）。変倍レンズ６４の切替が必要であった場合、ＣＰＵ３２は、ステップＳ３の処理を行い、変倍レンズ６４を高速制御によって移動させて、変倍レンズ６４を光路上に挿入又は光路上から退避させる。ステップＳ１０の判定がＮＯのとき、ＣＰＵ３２は、ステップＳ４に処理を戻す。
【００６７】
電源投入直後に変倍レンズ６４の移動が必要な場合、撮影レンズ１が交換された直後に変倍レンズ６４の移動が必要な場合、及びファインダ装置１５のファインダ倍率が手動で変更された場合以外のときに、変倍レンズ６４の移動が必要な場合、つまり、ユーザが操作部５０に含まれるズームボタンを操作したズーム操作を行って画角をテレとワイドで切替えた場合（ステップＳ１０：ＹＥＳ）には、ＣＰＵ３２は高速制御を行って変倍レンズ６４を移動させる。ステップＳ１０：ＹＥＳのとき、ユーザは通常、接眼窓１７を覗きながらズーム操作を行っていると考えられる。そこで、ＣＰＵ３２は、ステップＳ１０：ＹＥＳのときは高速制御を行って変倍レンズ６４を移動させることで、ユーザに違和感を与えないようにしている。
【００６８】
以上のように、図１に示したデジタルカメラ１０によれば、変倍レンズ６４を移動する必要があるときに、ＣＰＵ３２が、デジタルカメラ１０の使用状況に応じて、高速制御と低速制御のいずれかで変倍レンズ６４を移動させる。このため、高速制御を行うことによるユーザに与える違和感の軽減と、低速制御を行うことによる変倍レンズ６４とその周辺機構の磨耗の軽減とを両立させることができる。したがって、デジタルカメラ１０の使い勝手の向上と寿命の延長を図ることができる。
【００６９】
図１１は、図１に示すデジタルカメラの内部構成の変形例を説明するための図である。図１１において図２と同じ構成には同一符号を付してある。
【００７０】
図１１に示すデジタルカメラは、アイセンサ１８を追加した点を除いては図２と同じ構成である。
【００７１】
アイセンサ１８は、ファインダ装置１５の接眼窓１７に物体（例えばユーザの眼）が接触しているか否かを検知する物体検知手段である。アイセンサ１８は、接眼窓１７に物体が接触しているときには物体接触検知信号をＣＰＵ３２に送信し、接眼窓１７に物体が接触していないときには物体非接触検知信号をＣＰＵ３２に送信する。
【００７２】
図１２は、図１１に示すデジタルカメラの動作を説明するためのフローチャートである。図１２において図１０と同じ処理には同一符号を付して説明を省略する。
【００７３】
ステップＳ２の判定がＹＥＳのとき、ＣＰＵ３２は、アイセンサ１８から受信した信号に基づいて、アイセンサ１８によって物体が検知されたかどうかを判定する（ステップＳ１１）。
【００７４】
ＣＰＵ３２は、アイセンサ１８から物体接触検知信号を受信していた場合（ステップＳ１１：ＹＥＳ）、高速制御を行って変倍レンズ６４を移動させる（ステップＳ３）。また、ＣＰＵ３２は、アイセンサ１８から物体非接触検知信号を受信していた場合（ステップＳ１１：ＮＯ）、低速制御を行って変倍レンズ６４を移動させる（ステップＳ１２）。
【００７５】
ステップＳ３及びステップＳ１２の後、ＣＰＵ３２はステップＳ４以降の処理を行う。
【００７６】
そして、ステップＳ８の判定がＹＥＳのとき、ＣＰＵ３２は、アイセンサ１８から受信した信号に基づいて、アイセンサ１８によって物体が検知されたかどうかを判定する（ステップＳ１３）。
【００７７】
ＣＰＵ３２は、アイセンサ１８から物体接触検知信号を受信していた場合（ステップＳ１３：ＹＥＳ）、高速制御を行って変倍レンズ６４を移動させる（ステップＳ１４）。また、ＣＰＵ３２は、アイセンサ１８から物体非接触検知信号を受信していた場合（ステップＳ１３：ＮＯ）、低速制御を行って変倍レンズ６４を移動させる（ステップＳ９）。
【００７８】
ステップＳ９及びステップＳ１４の後、ＣＰＵ３２はステップＳ２に処理を戻す。
【００７９】
このように、図１１に示したデジタルカメラによれば、アイセンサ１８を備えているため、ユーザが接眼窓１７を覗いているか否かを、このアイセンサ１８の検知結果に基づいて判定することができる。このため、ＣＰＵ３２は、変倍レンズ６４の切替が必要な場合において、アイセンサ１８によって物体が検知されていないときには低速制御を行ってファインダ装置１５の磨耗を減らし、アイセンサ１８によって物体が検知されているときには高速制御を行ってユーザに与える違和感を軽減することができる。
【００８０】
なお、図１２のフローチャートでは、撮影レンズ１が交換又は別の光学系が撮影レンズ１に追加されたときに、ＣＰＵ３２が、アインセンサ１８の検知結果に依らずに変倍レンズ６４を低速制御で移動させている。接眼窓１７に眼をつけたまま、撮影レンズ１を交換したり別の光学系を追加することは通常考えられない。このため、撮影レンズ１が交換又は撮影レンズ１に別の光学系が追加されたときには低速制御を行って変倍レンズ６４を移動させることで、変倍レンズ６４とその周辺機構の磨耗を防ぐことができる。
【００８１】
また、図１２におけるステップＳ３及びステップＳ１４の各々の処理の途中で、アイセンサ１８によって物体が検知されなくなる場合も考えられる。このような場合には、変倍レンズ６４を低速で移動させる制御に変更することが、変倍レンズ６４とその周辺機構の磨耗を減らす上で好ましい。
【００８２】
また、図１２におけるステップＳ７、ステップＳ９、及びステップＳ１２の各々の処理の途中で、アイセンサ１８によって物体が検知される場合も考えられる。このような場合には、変倍レンズ６４を高速で移動させる制御に変更することが、ユーザに対する違和感の軽減を図る上で好ましい。
【００８３】
例えば、図１３に示すように、時間Ｔ２をかけて距離Ａを移動させる低速制御で変倍レンズ６４を移動させているときに、時間Ｔ３（＜Ｔ１）においてアイセンサ１８により物体の接触が検知された場合、ＣＰＵ３２は、変倍レンズ６４の移動距離が時間Ｔ１において距離Ａに達するように、モータドライバ５４から駆動モータに供給させる駆動信号を変更する。つまり、ＣＰＵ３２は、低速制御から高速制御に切替えて変倍レンズ６４の移動を行う。これにより、変倍レンズ６４は時間Ｔ３からそれまでよりも速い速度で移動して時間Ｔ１には移動距離が距離Ａに達する。したがって、（Ｔ２−Ｔ１）の時間だけ変倍レンズ６４の移動時間を短縮することができ、ユーザに与える違和感を減らすことができる。
【００８４】
また、図１４に示すように、時間Ｔ１をかけて距離Ａを移動させる高速制御で変倍レンズ６４を移動させているときに、時間Ｔ４（＜Ｔ１）においてアイセンサ１８により物体の接触が検知されなくなった場合、ＣＰＵ３２は、変倍レンズ６４の移動距離が時間Ｔ２において距離Ａに達するように、モータドライバ５４から駆動モータに供給させる駆動信号を変更する。つまり、ＣＰＵ３２は高速制御から低速制御に切替えて変倍レンズ６４の移動を行う。これにより、変倍レンズ６４は時間Ｔ４からそれまでよりも遅い速度で移動して時間Ｔ２には移動距離が距離Ａに達する。したがって、（Ｔ２−Ｔ１）の時間だけ変倍レンズ６４の移動時間が延びるものの、その分、変倍レンズ６４はゆっくり移動することになり、変倍レンズ６４とその周辺機構の磨耗を減らすことができる。
【００８５】
なお、図１３の例において、時間Ｔ１よりも大きくかつ時間Ｔ２よりも小さい時間Ｔ３’にてアイセンサ１８により物体の接触が検知された場合、ＣＰＵ３２は、変倍レンズ６４が時間Ｔ２よりも短い時間で移動距離Ａに達するように、変倍レンズ６４を設定可能な最大速度で移動さればよい。この場合は、結果として、変倍レンズ６４が距離Ａに到達する時間が低速制御よりも短い制御が行われることになる。これにより、ユーザに与える違和感を最小限に抑えることができる。
【００８６】
図２及び図１２に示したデジタルカメラ１０において、ファインダ装置１５に含まれる変倍レンズ６４を複数個とし、これらを切替えて光路上に挿入できるようにした構成（ファインダ倍率を３段階以上で切替えられる構成）としてもよい。変倍レンズ６４を複数個搭載する場合でも、変倍レンズ６４を移動させる必要があると判定されたときの状況に応じて、ＣＰＵ３２が低速制御と高速制御のいずれかで変倍レンズ６４の移動を行う。このようにすることで、ファインダ装置１５の長寿命化と使い勝手の向上とを両立させることができる。
【００８７】
また、図１０及び図１２に示したフローチャートにおいて、ＣＰＵ３２が高速制御を行って変倍レンズ６４を移動させている間は、ＣＰＵ３２がＯＶＦシャッタ６２を閉状態に制御し、変倍レンズ６４の移動完了後にＯＶＦシャッタ６２を開状態に制御することが好ましい。変倍レンズ６４の移動中はＯＶＦシャッタ６２を閉状態にしておくことで、変倍レンズ６４の移動している様子が接眼窓１７から見えなくなるため、ユーザに与える違和感を軽減することができる。また、高速制御では短い時間で変倍レンズ６４の移動が行われるため、ＯＶＦシャッタ６２が閉状態になる期間は短い。したがって、接眼窓１７から見える光学像が遮断される時間は僅かとなり、変倍レンズ６４の移動中にユーザが被写体を見失うのを防ぐことができる。
【００８８】
また、図１２に示したフローチャートにおいて、ＣＰＵ３２が低速制御を行って変倍レンズ６４を移動させている間に、アイセンサ１８によって物体の接触が検知された場合には、ＣＰＵ３２が、ＯＶＦシャッタ６２を閉状態に制御すると共に、表示部６１に固体撮像素子２１ａで撮影される撮像画像を表示させる制御を行うことが好ましい。つまり、ＣＰＵ３２が低速制御を行って変倍レンズ６４を移動させているときにユーザが接眼窓１７を除いた場合には、ファインダ装置１５をＥＶＦとして動作させる。
【００８９】
このようにすることで、変倍レンズ６４を低速制御によって移動させ続けることができるため、変倍レンズ６４とその周辺機構の磨耗を減らすことができる。また、接眼窓１７からは表示部６１に表示される撮像画像が見えることになるため、変倍レンズ６４の移動中にユーザが被写体を見失うのを防ぐことができる。
【００９０】
また、ファインダ装置１５は、表示部６１を持たない単なる光学式ビューファインダであってもよい。ファインダ装置１５が、表示部６１を搭載するものである場合には、低速制御中において接眼窓１７がユーザによって覗かれた場合でも、ファインダ装置１５をＥＶＦとして動作させることで低速制御を維持することができ、上述した効果を得ることができる。
【００９１】
また、ＣＰＵ３２は、切替えて実行する低速制御と高速制御の組み合わせを、図４，６，８の各々に示した低速制御と図５，７，９の各々に示した高速制御との任意の組み合わせとすることができる。最も好ましい組み合わせは、図６と図７の組み合わせである。この組み合わせによれば、変倍レンズ６４が距離Ａに達する時点での速度が、変倍レンズ６４の移動中の速度のうちの最高速度よりも遅くなる。このため、変倍レンズ６４が壁に当たるときの衝撃を和らげることができ、ファインダ装置１５の長寿命化を図ることができる。
【００９２】
また、図６〜９に示した例では、２種類の駆動信号の組み合わせで高速制御と低速制御を行っているが、３種類以上の駆動信号の組み合わせで高速制御と低速制御を行ってもよい。この場合は、変倍レンズ６４が距離Ａに達する時点において、３種類以上の駆動信号のうち、変倍レンズ６４の移動速度が最大になる駆動信号以外が駆動モータに供給されていれば、変倍レンズ６４と壁との衝突による磨耗を最小限に抑えることができる。
【００９３】
また、図１０及び図１２において、デジタルカメラ１０が撮影レンズ１を交換できないものである場合には、ステップＳ４〜Ｓ７の処理は省略することができる。また、デジタルカメラ１０がファインダ装置１５のファインダ倍率を手動で変更できないものである場合には、図１０のステップＳ８，Ｓ９の処理と、図１２のステップＳ８，Ｓ１３，Ｓ９，Ｓ１４の処理は省略することができる。
【００９４】
また、図４〜図９に例示した時間Ｔ１，Ｔ２はユーザによって任意に設定できるようにしてもよい。
【００９５】
以上説明してきたように、本明細書には以下の事項が開示されている。
【００９６】
開示された撮像装置は、撮影光学系と、上記撮影光学系を介して撮像を行う撮像素子と、上記撮影光学系とは異なる光学系を介して被写体を観察可能なファインダ装置とを有する撮像装置であって、上記ファインダ装置は、上記ファインダ装置の光路上に挿入及びその光路上から抜去可能かつ上記ファインダ装置の焦点距離を変更するための少なくとも１つの変倍レンズと、上記変倍レンズを駆動する駆動機構とを含むものであり、上記駆動機構に駆動信号を供給して上記変倍レンズの上記光路への挿入及び上記光路からの抜去を制御する変倍レンズ制御部を備え、上記変倍レンズの移動方向における一方の端部は、上記光路上に挿入された状態で上記ファインダ装置内に設けられる壁に当接し、上記変倍レンズが上記光路上に挿入された状態から、上記変倍レンズが上記光路上から抜去されて、上記変倍レンズの他方の端部が上記ファインダ装置内に設けられる壁に当接した状態になるまでに、上記変倍レンズが移動する距離を上記変倍レンズの最大移動距離とし、上記変倍レンズ制御部は、上記変倍レンズに対し上記最大移動距離を第一の時間をかけて移動させる高速制御と、上記変倍レンズに対し上記最大移動距離を第一の時間よりも長い第二の時間をかけて移動させる低速制御とを切り替えて実行するものである。
【００９７】
開示された撮像装置は、上記変倍レンズ制御部は、各々にしたがって移動される上記変倍レンズの移動速度が互いに異なる複数種類の上記駆動信号を上記駆動機構に供給可能であり、上記低速制御と上記高速制御の少なくとも一方を、上記複数種類の駆動信号のうちの少なくとも２種類を組み合わせて上記駆動機構に供給することで実行し、上記低速制御と上記高速制御の少なくとも一方によって移動される上記変倍レンズの移動距離が上記最大移動距離に達する時点における上記変倍レンズの移動速度が、上記変倍レンズが上記最大移動距離を移動する間における移動速度の最大値よりも小さくなるように上記少なくとも２種類の駆動信号を上記駆動機構に供給するものである。
【００９８】
開示された撮像装置は、上記撮影光学系を別のものに交換可能、又は、上記撮影光学系に別の光学系を追加可能であり、上記撮影光学系の焦点距離に基づいて、上記変倍レンズの移動の要否を判定する変倍レンズ移動要否判定部を備え、上記撮像装置の電源が投入された状態で上記撮影光学系の交換又は上記別の光学系の追加がなされ、かつ、上記変倍レンズ移動要否判定部によって上記変倍レンズの移動が必要と判定されたときには、上記変倍レンズ制御部は上記低速制御を行って上記変倍レンズを移動させるものである。
【００９９】
開示された撮像装置は、上記変倍レンズ制御部は、上記撮像装置の電源投入後に上記変倍レンズを移動させる指示が手動でなされたときには、上記高速制御を行って上記変倍レンズを移動させるものである。
【０１００】
開示された撮像装置は、上記ファインダ装置は、上記被写体側ファインダ窓から入射する光を遮断して上記接眼窓へのその光の入射を禁止する閉状態と上記被写体側ファインダ窓から入射する光を通過させてその光を上記接眼窓に入射させる開状態とを切り替え可能なファインダシャッタと、画像を表示する表示部であって上記画像が上記接眼窓から観察可能に配置される表示部とを含み、上記ファインダシャッタが開状態のときに、上記表示部に表示される画像と上記被写体側ファインダ窓から入射して上記接眼窓に入射する光像とが重畳された像を上記接眼窓から観察可能に構成されたものであり、上記接眼窓に物体が接触していることを検知する物体検知部と、上記ファインダシャッタの状態を制御するファインダシャッタ制御部と、上記表示部に画像を表示させる制御を行う表示制御部とを備え、上記低速制御が行われている間に上記物体検知部によって物体が検知されたときには、上記ファインダシャッタ制御部は上記ファインダシャッタを閉状態に制御し、上記表示制御部は上記表示部に上記撮像素子によって撮像されている撮像画像を表示させるものである。
【０１０１】
開示された撮像装置は、上記接眼窓に物体が接触していることを検知する物体検知部を備え、上記変倍レンズ制御部は、上記物体検知部によって物体が検知されていないときは上記低速制御を行って上記変倍レンズを移動させ、上記物体検知部によって物体が検知されているときは上記高速制御を行って上記変倍レンズを移動させるものである。
【産業上の利用可能性】
【０１０２】
本発明によれば、変倍レンズを搭載するファインダ装置の耐久性を向上させて製品寿命を延ばすことのできる撮像装置を提供することができる。【０１０３】
本発明を詳細にまた特定の実施態様を参照して説明したが、本発明の精神と範囲を逸脱することなく様々な変更や修正を加えることができることは当業者にとって明らかである。
本出願は、２０１１年９月２８出願の日本特許出願（特願２０１１−２１３１３０）に基づくものであり、その内容はここに参照として取り込まれる。
【符号の説明】
【０１０４】
１０  デジタルカメラ
１３  撮影光学系
１５  ファインダ装置
２１ａ  固体撮像素子
５４  モータドライバ
６４  変倍レンズ
【図１】
0005560378.tif 000002
【図２】
0005560378.tif 000003
【図３】
0005560378.tif 000004
【図４】
0005560378.tif 000005
【図５】
0005560378.tif 000006
【図６】
0005560378.tif 000007
【図７】
0005560378.tif 000008
【図８】
0005560378.tif 000009
【図９】
0005560378.tif 000010
【図１０】
0005560378.tif 000011
【図１１】
0005560378.tif 000012
【図１２】
0005560378.tif 000013
【図１３】
0005560378.tif 000014
【図１４】
0005560378.tif 000015